(57)【要約】【課題】【解決手段】  本発明は、ハウジングの外側区画内に提供される容器それぞれを取り付ける一対のマウントを備えるハウジングと、外側区画のいずれかへの気流のアクセスを選択的に閉鎖するように配置された切替え可能なシャッター要素とを備える、空気清浄分配装置に関する。本発明によれば、前記シャッター要素は、前記外側区画間の中央区画に設けられ、給気口に連通するように結合される。排気口は、中央区画を通る気流の流量を提供し、装置は、ユニットを出口チャネル上に締結して、給気口内への気流を提供するクランプをさらに備える。【選択図】なし
2010503453.tif 000002
【特許請求の範囲】
【請求項１】
ハウジングの外側区画内に提供される容器それぞれを取り付ける一対のマウントを備えるハウジングと、
前記外側区画のいずれかへの気流のアクセスを選択的に閉鎖するように配置された切替え可能なシャッター要素とを備える、空気清浄分配装置であって、
前記シャッター要素が前記外側区画間の中央区画内に設けられ、
前記中央区画が、給気口に連通するように結合され、前記中央区画を通る前記気流の流量を提供する排気口をさらに備えることを特徴とする、分配装置。
【請求項２】
前記ユニットを出口チャネル上に締結して、前記給気口内への気流を提供するクランプをさらに備える、請求項１に記載の分配装置。
【請求項３】
前記シャッター要素が双安定的に切替え可能である、請求項１に記載の分配ユニット。
【請求項４】
前記シャッター要素が、前記中央区画内に取り付けられたバルブ片を備えて、前記バルブ片を枢動させて前記ハウジング内に設けられた座部構造に接触させることによって、前記外側区画のどちらかへの前記給気口を包含または遮断する、請求項１に記載の分配ユニット。
【請求項５】
前記中央区画がくさび形の座部構造によって制限され、前記バルブ片が前記くさび形の座部構造の向かい合った側のどちらかに接触して収まり、前記バルブを前記中央区画の向かい合った側のいずれかに切り替えるため、前記ハウジングを通って突出するノブをさらに備える、請求項４に記載の分配ユニット。
【請求項６】
前記バルブ片が、前記バルブ片に対して横断方向に向いた十字形のフラップをさらに備える、請求項５に記載の分配ユニット。
【請求項７】
前記フラップが、前記バルブ片を枢動させることで、フラップの側面が前記外側区画内に配置された座部に当接することによって、前記外側区画のいずれかへのアクセスを開閉する、請求項６に記載の分配ユニット。
【請求項８】
前記給気口を滑動的に閉止する、気流の強度を調節するスライダー要素をさらに備える、請求項１に記載の分配ユニット。
【請求項９】
前記スライダーが、前記中央区画への前記給気口のアクセスを滑動的に閉止するため、前記中央区画の第１の側壁に設けられた給気開口部に沿って滑動可能な閉止要素を備え、前記スライダーが、前記中央区画の第２の側壁に設けられた排気開口部に沿って滑動可能な第２の閉止要素をさらに備える、請求項８に記載の分配ユニット。
【請求項１０】
前記第１および第２の側壁が隣接しており、前記第２の側壁が、取り付けた状態で見たときに頂壁である、請求項９に記載の分配ユニット。
【請求項１１】
前記第１および第２の側壁が互いに向かい合っている、請求項９に記載の分配ユニット。
【請求項１２】
前記頂壁が排気口を備える収集チャンバの底壁を規定する、請求項１０に記載の分配ユニット。
【発明の詳細な説明】
【技術分野】
【０００１】
本発明は、空気清浄分配装置に関する。特に、香料、例えば脱臭剤または香料を、例えば自動車に送達する分配装置に関する。
【背景技術】
【０００２】
国際公開第２００３／０２８７７５号パンフレットは、香料の組み合わせを分配し、香料容器それぞれを装置の外側区画に取り付けるための一対のマウントが設けられた、分配ユニットを開示している。外側区画のいずれかへの気流のアクセスを選択的に閉鎖する、切替え可能なシャッター要素が配置される。装置は、ファンの空気流フローの反転に応じて、選択された香料のいずれかを提供する。この機構は、例えば自動車において、外部ファンと併せて使用される用途にとっては実用的ではない。
【０００３】
欧州特許出願公開第２００４７６３９３号明細書は、車両用の空気清浄分配装置を開示している。装置は、自動車ファンの出口チャネル上に締結することができ、香料容器を取り付けるためのマウントを備える。装置は、単一の香料容器のみを備える。
【０００４】
小型で、選択可能な香料に対する可能性を提供する、二重の香料分配装置を提供することが望ましい。
【先行技術文献】
【特許文献】
【０００５】
【特許文献１】国際公開第２００３／０２８７７５号パンフレット
【特許文献２】欧州特許出願公開第２００４７６３９３号明細書
【発明の概要】
【課題を解決するための手段】
【０００６】
本発明の１つの態様によれば、請求項１の特徴による空気清浄分配装置が提供される。特に、ハウジングの外側区画内に提供される容器それぞれを取り付ける一対のマウントを備えるハウジングと、外部区画のどちらかへの気流のアクセスを選択的に閉鎖するように配置された切替え可能なシャッター要素とを備える空気清浄分配装置であって、前記シャッター要素が前記外側区画間の中央区画に設けられ、前記中央区画が、給気口に連通するように結合され、中央区画を通る気流の流量を提供する排気口をさらに備え、装置が、ユニットを排気口チャネル上に締結して、給気口内への気流を提供するクランプをさらに備える、分配装置が提供される。
【発明の効果】
【０００７】
このように構成された装置は、小型で、選択的な切替えを提供してもよく、使用の際、一方の香料のみが選択され、他方は気流から遮断される。したがって、複数の香料を提供する、費用効率が高く効果的な装置を提供することができる。
【０００８】
さらなる特徴および利点は、説明を図面と併せ読むことによって導き出すことができる。
【図面の簡単な説明】
【０００９】
【図１】本発明の１つの態様によるディスペンサーを部分的に断面図で示した概略斜視図である。
【図２】図２ＡおよびＢは、シャッター要素が香料の蒸発面へのアクセスの提供と閉鎖とを交互に行う交互の動作条件を示す図である。
【図３】選択された閉鎖位置にあるシャッターを示す、線Ｉ−Ｉに沿って切り取った図１の分配装置の概略断面斜視図である。
【図４】線II−IIに沿って切り取った図１のディスペンサーの上面断面図を通るスライダーの上面図である。
【発明を実施するための形態】
【００１０】
図面中、同じまたは対応する部品は同じ参照符号によって参照される。
【００１１】
図１では、本発明による空気清浄器１の分配装置の一実施形態の概略正面斜視図が示される。空気清浄器１は、従来のやり方で、例えば後述するクランプ機構２によって、車両の、特に自動車の内部の位置に固定可能である。空気清浄器１は、揮発性液体用の容器４（図面では、参照符号ＡおよびＢによって示される）を中に挿入することができるハウジング３を備える。前部は、空気がそこを介して空気清浄器１内を貫流することができる換気出口５を備える。
【００１２】
後部は、空気をハウジング３内に運搬することを可能にする換気開口部６を備える。クランプ要素２は、特に自動車のダッシュボードにあるファンの防護物におけるストリップ状の要素に、空気清浄器１をしっかり固定するために存在する。クランプ要素２は、ハウジング３から外向きに突出する４つのクランプ７を備え、それらクランプ７は、少なくとも互いにほぼ垂直な２つの面にしたがって互いから分離されて、空気清浄器１を、垂直または水平どちらかのストリップ状の要素にしっかり固定することが可能になっている。
【００１３】
図１は、さらに、矢印Ｐによって示される気流の経路を概略的に示す。後続の図面においてさらに明瞭にされ、番号９で参照される切替え可能なシャッター要素は、気流Ｐが、容器４が中に提供されるハウジング３のいずれかの外側区画にアクセスするのを選択的に閉鎖するために配置される。シャッター要素は、前記外側区画間の中央区画に設けられ、図２および図３により明瞭に示されるように、バルブ片（図２を参照）を中央区画の向かい合った側のいずれかに切り替えるため、ハウジング３を通って突出するノブ８を備える。
【００１４】
特に、図２ＡおよびＢは、シャッター要素９が、相互に異なる香料を含む容器４から突出するウィック１０の形態の蒸発面を介して提供される香料へのアクセスの提供と閉鎖とを交互に行う、交互の動作条件を示す。したがって、図２Ａの構成は、上から見て左側のウィック１０へのアクセスを提供する一方、右側のウィック１０へのアクセスを閉鎖し、図２Ｂの構成は、上から見て右側のウィック１０へのアクセスを提供する一方、左側のウィック１０へのアクセスを閉鎖する。さらに、図３は、選択された閉鎖位置にあるシャッターを示す、線Ｉ−Ｉに沿って切り取った図１の分配装置の概略断面斜視図を示す。
【００１５】
原則として、この機構を介して、左側および右側のウィック１０のいずれかへのアクセスを選択的に開放または閉鎖することによって、香料の混合物を提供することができるが、好ましくは、シャッター要素９は双安定的に切替え可能であるので、ノブ８を「Ａ」または「Ｂ」どちらかの状態に切り替えて、左側または右側の容器からの香料どちらかを選択することによって、単一の香料のみが活性化される。特に、図２および３は、好ましくは、シャッター要素９が、中央区画１２内に枢動可能に取り付けられたバルブ片１１を備えて、バルブ片１１を枢動させてハウジング３内に設けられた座部構造１５に接触させることによって、外側区画１４のどちらかへの給気口１３を包含または遮断することを示す。
【００１６】
さらに、図２および図３は、バルブ片１１がくさび形の座部構造１５の向かい合った側どちらかに接触して収まるように、座部構造１５が好ましくはくさび形であることを示す。このくさび形の形態では、好ましくは、バルブ片は、前記バルブ片１１に対して横断方向に向いた十字形のフラップ１６を備える。フラップ１６は、バルブ片１１を枢動させることで、フラップの側面が外側区画１４に配置された座部１７に当接することによって、外側区画１４のいずれかへのアクセスを開閉する。
【００１７】
図４は、線II−IIに沿って切り取った図１のディスペンサーの上面断面図によって、スライダー２１の上面図を示す。特に、収集チャンバ１９の底壁１８が示される（図１も参照）。図１に見られるように、収集チャンバ１９は排気口５を備える。したがって、この収集チャンバ１９へのアクセスは、スライダー２１によって滑動的に閉止可能な中央開口部２０を介して提供される。それに加えて、スライダー２１によって閉止状態にあるウィック１０付近での気流を防ぐため、好ましくは、スライダー要素２１は給気口１３も滑動的に閉止する。したがって、好ましくは、スライダー２１は、典型的には給気口１３を形成する中央区画１２の後壁２２（図２を参照）である第１の側壁に設けられた、給気開口部１３に沿って滑動可能な別の閉止要素（図示なし）を備えて、給気口１３の前記中央区画に対するアクセスを滑動的に閉止する。この閉止要素は、収集チャンバ１９の底壁１８でもある中央区画１２の頂壁１８に設けられた排気開口部に沿って滑動可能な閉止要素２１に加えて設けられる。この実施形態は、頂壁（２０によって参照）および中央区画１２の側壁（図示なし）の開口部を滑動的に閉止するスライダー２１を示しているが、この原理にしたがって、他の壁、例えば向かい合った壁を滑動的に閉止することもできる。スライダーは、ハウジング３に設けられたスリット２４（図１を参照）に沿って滑動可能なスライダーノブ２３を介して手動で操作可能である。
【００１８】
本発明の特定の実施形態を上記に記載してきたが、本発明は、記載したものとは別の方法で実施されてもよいことが理解されるであろう。特に、本発明は容器の特定の設計に限定されず、特に、本発明の範囲から逸脱することなく、香料の異なる区画を有する容器を組み合わせた単一の組であってもハウジングに挿入することができる。特に、上述の記載は例示のためのものであり、限定するものではない。したがって、以下に記載する請求項の範囲から逸脱することなく、記載の発明を修正してもよいことが、当業者には明白であろう。
【符号の説明】
【００１９】
１    空気清浄器
２    クランプ要素
３    ハウジング
４    揮発性液体用の容器
５    換気出口
６    換気開口部
７    クランプ
８    ノブ
９    シャッター要素
１０  ウィック
１１  バルブ片
１２  中央区画
１３  給気口
１４  外側区画
１５  座部構造
１６  フラップ
１７  座部
１８  底壁
１９  収集チャンバ
２０  中央開口部
２１  スライダー
２２  後壁
２３  ライダーノブ
２４  スリット
【図１】
2010503453.tif 000003
【図２】
2010503453.tif 000004
【図３】
2010503453.tif 000005
【図４】
2010503453.tif 000006
【国際調査報告】
2010503453.tif 000007
2010503453.tif 000008
2010503453.tif 000009